【手続補正書】
【提出日】平成17年1月7日(2005.1.7)
【手続補正１】
【補正対象書類名】明細書
【補正対象項目名】発明の名称
【補正方法】変更
【補正の内容】
【発明の名称】地図情報表示装置及び地図情報表示方法
【手続補正２】
【補正対象書類名】明細書
【補正対象項目名】特許請求の範囲
【補正方法】変更
【補正の内容】
【特許請求の範囲】
【請求項１】
地図データを格納した地図データ格納メモリ部と、
該地図データ格納メモリ部から読み出された地図データがあらわす地図情報に応じた地図画像を表示する画像表示部と、
上記地図データ格納メモリ部から所定の地域についての地図データが読み出される状態を設定し、上記画像表示部により表示された地図画像上に、該地図画像があらわす地図上における特定の場所を指すマーク画像を重畳表示するためのマークデータを発生するとともに、該マークデータに予め用意された属性を持たせる動作制御部と、
を備えて構成される地図情報表示装置。
【請求項２】
動作制御部が、マークデータに予め用意された複数の属性の全部もしくは選択された一部を持たせることを特徴とする請求項１記載の地図情報表示装置。
【請求項３】
動作制御部が、属性を持ったマークデータを、予め定められたフォーマットに従うものとして、メモリ手段に格納することを特徴とする請求項１または２記載の地図情報表示装置。
【請求項４】
動作制御部が、画像表示部により表示される画像上に、該画像における任意の部分を指すポインタ画像を重畳表示するためのポインタデータを発生し、該ポインタデータに基づいて上記画像表示部により表示された地図画像上に重畳表示されるポインタ画像が、上記画像表示部により表示された地図画像上におけるマーク画像を指すものとされるとき、該マーク画像に対応するマークデータが持った属性に対応する機能を果たすことを特徴とする請求項３記載の地図情報表示装置。
【請求項５】
地図データ格納メモリ部，画像表示部及び動作制御部が車両に搭載されたものとされたもとで、上記車両の現在位置を検出する現在位置検出部を含み、上記動作制御部が、上記現在位置検出部によって検出された上記車両の現在位置が、上記画像表示部によって表示された地図画像があらわす地図上における上記地図画像上に重畳表示されたマーク画像が指す場所に近接もしくは到達したとき、あるいは、該場所を通過したとき、上記マーク画像に対応するマークデータが持った属性に対応する機能を果たすことを特徴とする請求項３または４記載の地図情報表示装置。
【請求項６】
動作制御部が果たすマークデータが持った属性に対応する機能が、車両に備えられた装置を所定の態様で動作させるための信号の送出とされることを特徴とする請求項５記載の地図情報表示装置。
【請求項７】
動作制御部が果たすマークデータが持った属性に対応する機能が、車両に備えられた音声発生部を所定の音声発生状態とすべく動作させるための信号、もしくは、上記車両に備えられた電話装置を呼出し状態とすべく動作させるための信号の送出とされることを特徴とする請求項６記載の地図情報表示装置。
【請求項８】
地図データを格納した地図データ格納メモリ部から所定の地域についての地図データが読み出される状態を設定する第１のステップと、
上記地図データ格納メモリ部から読み出された地図データがあらわす地図情報に応じた地図画像を表示する画像表示部により表示された地図画像上に、該地図画像があらわす地図上における特定の場所を指すマーク画像を重畳表示させるためのマークデータを発生する第２のステップと、
該第２のステップにおいて発生したマークデータに予め用意された属性を持たせる第３のステップと、
を含む地図情報表示方法。
【手続補正３】
【補正対象書類名】明細書
【補正対象項目名】０００１
【補正方法】変更
【補正の内容】
【０００１】
【発明の属する技術分野】
本発明は、地図情報をあらわす地図データに基づく地図画像を表示するとともに、その地図画像上に他の画像を重畳表示することができる地図情報表示装置及び地図情報表示方法に関する。
【手続補正４】
【補正対象書類名】明細書
【補正対象項目名】０００５
【補正方法】変更
【補正の内容】
【０００５】
斯かる点に鑑み、本願の特許請求の範囲に記載された発明は、道路地図画像等とされる地図画像を表示するとともに、その地図画像上の任意の位置に、地図画像があらわす地図上における特定の場所を指すマーク画像を重畳表示することができ、しかも、そのマーク画像に、地図画像があらわす地図上における特定の場所を指す役割だけでなく、それに加えて、他のいくつかの機能をも果たさせることができ、それゆえ、地図画像に重畳表示されるマーク画像を、各種の活用の途があって利用価値が著しく高められるものとなすことができる地図情報表示装置及び地図情報表示方法を提供する。
【手続補正５】
【補正対象書類名】明細書
【補正対象項目名】０００９
【補正方法】変更
【補正の内容】
【０００９】
さらに、本願の特許請求の範囲における請求項５に記載された発明に係る地図情報表示装置は、上述の地図データ格納メモリ部，画像表示部及び動作制御部が車両に搭載されたものとされるもとで、車両の現在位置を検出する現在位置検出部を含み、動作制御部が、現在位置検出部によって検出された車両の現在位置が、画像表示部によって表示された地図画像があらわす地図上における地図画像上に重畳表示されたマーク画像が指す場所に近接もしくは到達したとき、あるいは、その場所を通過したとき、マーク画像に対応するマークデータが持った属性に対応する機能を果たすものとされて構成される。
また、本願の特許請求の範囲における請求項８に記載された発明に係る地図情報表示方法は、地図データを格納した地図データ格納メモリ部から所定の地域についての地図データが読み出される状態を設定する第１のステップと、地図データ格納メモリ部から読み出された地図データがあらわす地図情報に応じた地図画像を表示する画像表示部により表示された地図画像上に、その地図画像があらわす地図上における特定の場所を指すマーク画像を重畳表示させるためのマークデータを発生する第２のステップと、第２のステップにおいて発生したマークデータに予め用意された属性を持たせる第３のステップとを含むものとされる。
【手続補正６】
【補正対象書類名】明細書
【補正対象項目名】００１０
【補正方法】変更
【補正の内容】
【００１０】
前述の如くの本願の特許請求の範囲における請求項１から請求項７までのいずれかに記載された発明に係る地図情報表示装置及び本願の特許請求の範囲における請求項８に記載された発明に係る地図情報表示方法にあっては、画像表示部において地図画像上に重畳してマーク画像を表示するためのマークデータが、予め用意された属性を持ったものとされる。それにより、画像表示部において地図画像上に重畳して表示されるマーク画像が、地図画像があらわす地図上における特定の場所を指す役割だけでなく、それに加えて、マークデータが持った属性に対応する他の機能をも果たすものとされる。
【手続補正７】
【補正対象書類名】明細書
【補正対象項目名】００１５
【補正方法】変更
【補正の内容】
【００１５】
【発明の実施の形態】
図１は、本願の特許請求の範囲における請求項８に記載された発明に係る地図情報表示方法の一例が実施される本願の特許請求の範囲における請求項１から請求項７までのいずれかに記載された発明に係る地図情報表示装置の一例を、それが適用されて構成された車両のナビゲーション・システムと共に示し、本願の特許請求の範囲における請求項８に記載された発明に係る地図情報表示方法の一例が実施される本願の特許請求の範囲における請求項１から請求項７までのいずれかに記載された発明に係る地図情報表示装置の一例を含んだナビゲーション・システムの全体が、車両に搭載されるものとなされている。
【手続補正８】
【補正対象書類名】明細書
【補正対象項目名】００４０
【補正方法】変更
【補正の内容】
【００４０】
上述の如くの図１に示されるナビゲーション・システムにあっては、本願の特許請求の範囲における請求項８に記載された発明に係る地図情報表示方法の一例が実施される本願の特許請求の範囲における請求項１から請求項７までのいずれかに記載された発明に係る地図情報表示装置の一例が、現在位置検出部１３，地図データ格納メモリ部１６，表示データ形成部１８，映像信号形成部２０，画像表示部２１，動作制御ユニット３０，入力操作部３１，プログラムメモリ部３３及びデータメモリ部３４を含む部分によって構成されている。そして、斯かる例にあっては、画像表示部２１の画面において表示された地図画像ＩＭＰ上に重畳表示されるマーク画像Ｍが、地図画像ＩＭＰがあらわす道路地図上における特定の場所Ｘを指す役割を果たすだけでなく、それに対応するマークデータＤＭＫが持った属性に応じて、画像表示部２１の画面において表示された地図画像ＩＭＰ上に重畳表示されるポインタ画像によってそれを指すことにより、車両に備えられた電話装置３５に、場所Ｘに関する電話番号を有する他の電話装置を呼び出す呼出し状態をとらせることができ、さらには、車両の現在位置が場所Ｘに近接もしくは到達したとき、あるいは、場所Ｘを通過したときには、音声発生部２３に場所Ｘに関する音声案内を行う音声発生状態をとらせることができるものとされ、従って、利用価値が著しく高められたものとされている。
【手続補正９】
【補正対象書類名】明細書
【補正対象項目名】００４１
【補正方法】変更
【補正の内容】
【００４１】
なお、本願の特許請求の範囲における請求項１から請求項７までのいずれかに記載された発明に係る地図情報表示装置及び本願の特許請求の範囲における請求項８に記載された発明に係る地図情報表示方法において、画像表示部の画面において表示された地図画像上に重畳表示されるマーク画像が、地図画像があらわす道路地図上における特定の場所を指す役割に加えて果たすことができる他の機能は、上述の例の場合に限られるものではなく、マーク画像に対応するマークデータに持たせる属性の選択により、上述の例の場合とは異なるものに設定することができるものであること勿論である。
【手続補正１０】
【補正対象書類名】明細書
【補正対象項目名】００４２
【補正方法】変更
【補正の内容】
【００４２】
【発明の効果】
以上の説明から明らかな如く、本願の特許請求の範囲における請求項１から請求項７までのいずれかに記載された発明に係る地図情報表示装置及び本願の特許請求の範囲における請求項８に記載された発明に係る地図情報表示方法によれば、画像表示部において地図画像上に重畳してマーク画像を表示するためのマークデータが、予め用意された属性を持ったものとされるので、画像表示部において地図画像上に重畳して表示されるマーク画像が、地図画像があらわす地図上における特定の場所を指す役割だけでなく、それに加えて、マークデータが持った属性に対応する他の機能をも果たすものとされる。従って、画像表示部において地図画像があらわす地図上における特定の場所を指す役割を果たすマーク画像を、その役割以外に活用の途があって、利用価値が著しく高められたものとできることになる。
【手続補正１１】
【補正対象書類名】明細書
【補正対象項目名】図１
【補正方法】変更
【補正の内容】
【図１】
本願の特許請求の範囲における請求項８に記載された発明に係る地図情報表示方法の一例が実施される本願の特許請求の範囲における請求項１から請求項７までのいずれかに記載された発明に係る地図情報表示装置の一例を、それが適用されて構成された車両のナビゲーション・システムと共に示すブロック構成図である。